(57)【要約】【課題】チャンネル登録の際の時間と手間を省く。【解決手段】番組情報解析部４は受信したデータを解析し放送事業者や選局情報やチャンネルｉｄ等のチャンネルに係る情報を抽出し、不揮発性メモリ５は抽出された全てのチャンネルに係る情報を格納する全情報記録領域と複数の特定記録領域を保有し、制御部８はチャンネル登録の指示に基づき不揮発性メモリ５の全情報記録領域に格納されている放送事業者と複数の特定記録領域の名称をチャンネル登録画面として表示させ、チャンネル登録画面により各特定記録領域の名称毎に指定された放送事業者のチャンネルに係る情報を、不揮発性メモリ５の全情報記録領域から読み出して各特定記録領域にコピーする。【選択図】        図１
2004228990.tif 000002
【特許請求の範囲】
【請求項１】
デジタル放送を受信するテレビジョン受信機において、
受信したチャンネル／番組に関するデータを解析し放送を行っている放送事業者やチャンネルを選局するための選局情報やチャンネルに相当するチャンネルｉｄ等のチャンネルに係る情報を抽出する番組情報解析部と、
上記番組情報解析部により抽出された全てのチャンネルに係る情報を格納する全情報記録領域と複数の特定記録領域を保有するメモリと、
入力されたチャンネル登録の指示に基づき上記メモリの全情報記録領域に格納されている放送事業者と上記メモリが保有している複数の特定記録領域の名称をチャンネル登録画面として表示させると共に、上記チャンネル登録画面により各特定記録領域の名称毎に指定された放送事業者のチャンネルに係る情報を、上記メモリの全情報記録領域から読み出して上記各特定記録領域にコピーする制御部とを備えたことを特徴とするテレビジョン受信機。
【請求項２】
制御部はチャンネル登録画面に放送事業者と各特定記録領域の名称を２次元マトリクス状に表示させることを特徴とする請求項１記載のテレビジョン受信機。
【請求項３】
制御部はチャンネル登録画面にメモリの特定記録領域に格納されているチャンネルに係る情報に含まれるサービスタイプ毎にまとめて放送事業者を表示させることを特徴とする請求項２記載のテレビジョン受信機。
【請求項４】
制御部は、チャンネル登録画面に表示させる各特定記録領域の名称を、入力された名称に変更させることを特徴とする請求項２記載のテレビジョン受信機。
【請求項５】
番組情報解析部は、メモリの全情報記録領域に記憶されているチャンネルに係る情報と抽出したチャンネルに係る情報を比較し、新しく開局した新放送事業者が存在する場合に、上記メモリの全情報記録領域に上記新放送事業者のチャンネルに係る情報を格納し、
制御部はチャンネル登録画面に上記新放送事業者を他の放送事業者と区別して表示させることを特徴とする請求項１記載のテレビジョン受信機。
【請求項６】
制御部は、入力されたチャンネル呼出の指示に基づきメモリの特定記録領域に記憶されている放送事業者をチャンネル選局画面として表示させ、選択された放送事業者の選局情報を上記メモリの特定記録領域から読み出して選局させることを特徴とする請求項１記載のテレビジョン受信機。
【請求項７】
メモリの特定記録領域にチャンネルアップ又はチャンネルダウン用のアップダウン特定記録領域を備え、
制御部は、チャンネル登録画面に上記アップダウン特定記録領域の名称を表示させ、上記チャンネル登録画面により指定された放送事業者のチャンネルに係る情報を、上記メモリの全情報記録領域から読み出して上記アップダウン特定記録領域にコピーすることを特徴とする請求項１記載のテレビジョン受信機。
【請求項８】
制御部はチャンネル登録画面に放送事業者とアップダウン特定記録領域の名称を２次元マトリクス状に表示させることを特徴とする請求項７記載のテレビジョン受信機。
【請求項９】
制御部は入力されたチャンネルアップ又はチャンネルダウンの指示に基づき放送事業者の選局情報をメモリのアップダウン特定記録領域から読み出して選局させることを特徴とする請求項７記載のテレビジョン受信機。
【発明の詳細な説明】
【０００１】
【発明の属する技術分野】
この発明はＢＳデジタル放送、ＣＳデジタル放送、地上デジタル放送等のデジタル放送を受信するテレビジョン受信機に関するものである。
【０００２】
【従来の技術】
従来のテレビジョン受信機において、ユーザのお好みチャンネルを登録する際には、例えば特許文献１のように、チャンネルを選局し、希望するチャンネルであればリモコンの登録キーを押して、映画、ニュース等のジャンルを指定するジャンルキーを押すことで登録が行われている。また、テレビを視聴する際には、ジャンルキーを押して登録されているチャンネルの縮小画像を同時に表示し、視聴したい番組を選択している。
【０００３】
【特許文献１】
特開平１０−１３６２７６号公報（段落番号００１０，００１１）
【０００４】
【発明が解決しようとする課題】
従来のテレビジョン受信機は、以上のように構成されているので、ユーザがお好みチャンネルを登録する際には、一つのチャンネル毎に選局して登録しなければならず、チャンネル登録を完了させるためには、全てのチャンネルを視聴することが必要となり、チャンネル登録の際の時間と手間がかかるという課題があった。
【０００５】
また、お好みチャンネルの登録は、例えばジャンル別の登録である等、一つのの登録基準による登録しかできず、複数の登録基準によりお好みチャンネルの登録を行うことができず、ユーザの利便性が良くないという課題があった。
【０００６】
さらに、ユーザがある程度カスタマイズ可能なチャンネルアップ／ダウンボタンや、お好みチャンネルの選択画面といったものが具備されていても、それぞれの機構に対して設定操作がばらばらであり、どの機構にどのチャンネルを割り当てられているかといった相互関係をユーザに提示することができず、使い勝手が良くないという課題があった。
【０００７】
この発明は上記のような課題を解決するためになされたもので、全てのチャンネルを視聴することなく、開局している放送事業者を自動認識し、その放送事業者を表示したチャンネル登録画面を使用してチャンネル登録することにより、チャンネル登録の際の時間と手間を省くことのできるテレビジョン受信機を得ることを目的とする。
【０００８】
また、お好みチャンネルの記録領域を独立して複数備えることにより、複数の登録基準でチャンネル登録が行え、ユーザの利便性を向上させることができるテレビジョン受信機を得ることを目的とする。
【０００９】
さらに、チャンネル選択といった同様の目的のために具備される複数の機構について、同じチャンネル登録画面を共有することにより、相互関係を分かりやすく提示しユーザの使い勝手を向上させることができるテレビジョン受信機を得ることを目的とする。
【００１０】
【課題を解決するための手段】
この発明に係るテレビジョン受信機は、受信したチャンネル／番組に関するデータを解析し放送事業者や選局情報やチャンネルｉｄ等のチャンネルに係る情報を抽出する番組情報解析部と、抽出された全てのチャンネルに係る情報を格納する全情報記録領域と複数の特定記録領域を保有するメモリと、チャンネル登録の指示に基づきメモリの全情報記録領域に格納されている放送事業者と複数の特定記録領域の名称をチャンネル登録画面として表示させると共に、チャンネル登録画面により各特定記録領域の名称毎に指定された放送事業者のチャンネルに係る情報を、メモリの全情報記録領域から読み出して各特定記録領域にコピーする制御部とを備えたものである。
【００１１】
【発明の実施の形態】
以下、この発明の実施の一形態を説明する。
実施の形態１．
図１はこの発明の実施の形態１によるテレビジョン受信機の構成を示すブロック図である。図１に示すように、このテレビジョン受信機は、チューナ１、分離部２、復号部３、番組情報解析部４、不揮発性メモリ（メモリ）５、グラフィック描画部６、表示部７、制御部８、リモコン解析部９、リモコン受光部１０、リモコン１１により構成されている。
【００１２】
図２はこの発明の実施の形態１におけるリモコン１１の例を示す図である。このリモコン１１には、電源ボタン２１、チャンネル指定を行う１２個のテンキー２２、チャンネル登録画面を呼出すチャンネル登録ボタン２３、選局画面を呼出すチャンネル呼出ボタン２４、上下左右の矢印ボタン２５、決定ボタン２６、音量アップボタン２７ａ、音量ダウンボタン２７ｂ、チャンネルアップボタン２８ａ、チャンネルダウンボタン２８ｂが備えられている。
【００１３】
図３はこの発明の実施の形態１によるテレビジョン受信機で受信する信号の多重方法の例を示す図であり、例えば「ＢＳ／広帯域ＣＳデジタル放送の送信・運用条件  標準規格  ＡＲＩＢ  ＳＴＤ−Ｂ２０  第４章  伝送信号の多重化方式」に記載された信号の多重方法の一例を示し、地上デジタル放送でも同じ方式が採用されている。符号化された映像データ、符号化された音声データはＰＥＳ（Ｐａｃｋｅｔｉｚｅｄ  Ｅｌｅｍｅｎｔａｒｙ  Ｓｔｒｅａｍ）パケットとして伝送され、また、チャンネル／番組に関するデータはセクション形式で伝送される。ＰＥＳパケット及びセクション形式は１８８バイト単位にＴＳ（Ｔｒａｎｓｐｏｒｔ  Ｓｔｒｅａｍ）パケットに分割され、ＴＳパケット化されたデータとして多重化されて伝送される。
【００１４】
図４はこの発明の実施の形態１によるテレビジョン受信機で受信する番組情報のネットワーク情報テーブル（ＮＩＴ）の例を示す図であり、例えば「デジタル放送に使用する番組配列情報  標準規格  ＡＲＩＢ  ＳＴＤ−Ｂ１０  第６章  番組配列情報のデータ構造」に記載されたチャンネル／番組に関するデータの一つであるネットワーク情報テーブルの例を示している。このネットワーク情報テーブルは図３のセクション形式のデータに記載されており、ＢＳデジタル放送／ＣＳデジタル放送／地上デジタル放送の放送種別を記載したネットワーク識別子、周波数情報、チャンネルに相当するサービスｉｄ、サービスタイプ（テレビサービス／ラジオサービス／データサービス）等の情報が含まれている。
【００１５】
また、図５はこの発明の実施の形態１によるテレビジョン受信機で受信する番組情報のサービス記述テーブルの例を示す図であり、例えば、「デジタル放送に使用する番組配列情報  標準規格  ＡＲＩＢ  ＳＴＤ−Ｂ１０  第６章  番組配列情報のデータ構造」に記載されたチャンネル／番組に関するデータの一つであるサービス記述テーブル（ＳＤＴ）の例を示している。このサービス記述テーブルは図３のセクション形式のデータに記載されており、チャンネルに相当するサービスｉｄ、そのサービスｉｄで番組を放送する放送事業者名、サービス名（番組名）、サービスタイプ（テレビサービス／ラジオサービス／データサービス）等の情報が含まれている。
【００１６】
次に動作について説明する。
チューナ１で復調された放送データは分離部２へ送られ、分離部２は符号化された映像データと符号化された音声データとチャンネル／番組に関するセクション形式のデータに分離する。ここで、分離部２は図３に示すＴＳパケットヘッダ部に含まれる同じＰＩＤ（パケットＩＤ）のパケットを抽出することで、元のＰＥＳパケット及びセクション形式に復元することができる。また、分離部２はＰＥＳパケットのヘッダ部の情報を解析することによりデータの属性を判別し、映像と判別されたデータと音声と判別されたデータは、復号部３に送り込まれて復号されて表示部７で表示される。
【００１７】
また、分離されたチャンネル／番組に関するセクション形式のデータは番組情報解析部４に送られ、番組情報解析部４は送られたデータからチャンネル／番組に関するデータを選別して解析する。番組情報解析部４は放送を行っている放送事業者、その放送事業者のチャンネルを選局するための選局情報、チャンネルに相当するサービスｉｄ、サービスタイプを抽出し不揮発性メモリ５に格納する。
ここで、選局情報には、ＢＳデジタル放送／ＣＳデジタル放送／地上デジタル放送の放送種別と周波数情報が含まれている。
【００１８】
番組情報解析部４はセクション形式の番組情報のうち図４に示すネットワーク情報テーブルを抽出し、抽出したこのネットワーク情報テーブルのネットワーク識別子からＢＳデジタル放送／ＣＳデジタル放送／地上デジタル放送の放送種別及びチューナ１に設定する周波数情報等からなる選局情報と、チャンネルに相当するサービスｉｄを不揮発性メモリ５に格納する。
【００１９】
また、番組情報解析部４はセクション形式の番組情報のうち図５に示すサービス記述テーブルを抽出し、抽出したこのサービス記述テーブルからサービスｉｄとサービスタイプと放送事業者名を不揮発性メモリ５に格納する。
【００２０】
不揮発性メモリ５に格納されたネットワーク情報テーブルの情報とサービス記述テーブルの情報から、共通に存在するサービスｉｄにより、ネットワーク情報テーブルに含まれる選局情報とサービス記述テーブルに含まれる放送事業者名を関連付けることが可能となる。
【００２１】
図６は不揮発性メモリ５の記録領域に格納された情報を示す図である。この不揮発性メモリ５は、番組情報解析部４が放送されている全てのネットワーク情報テーブルの情報及びサービス記述テーブルの情報から抽出した全てのチャンネルに係る情報、すなわち、選局情報、放送事業者名、サービスｉｄ、サービスタイプを格納する全情報記録領域と、お好みチャンネルとして登録されたチャンネルに係る情報、すなわち、選局情報、放送事業者名、サービスｉｄを格納する特定記憶領域を保有している。この特定記憶領域はページという概念でグループ化されており、ページ１、ページ２、・・・、ページＮの名称が付されている。また、図６には記載されていないが、不揮発性メモリ５の全情報記録領域及び特定記憶領域には、放送事業者のロゴも格納されている。
【００２２】
このように、不揮発性メモリ５の複数の特定記録領域をページという概念でグループ化して備えていることにより、ジャンル別、ネットワーク別等、お好みチャンネルを複数の登録基準で登録することができる。
【００２３】
番組情報解析部４は、図６に示すように、抽出した全てのチャンネルに係る情報である選局情報、放送事業者名、サービスｉｄ、サービスタイプを不揮発性メモリ５の全情報記録領域に格納する。また、図６に示す特定記録領域への格納は、後述のお好みチャンネル（放送事業者）を登録する場合に制御部８により行われる。
【００２４】
図７はお好みチャンネル（放送事業者）の登録処理及び既に登録されているお好みチャンネルの取り消し処理の流れを示すフローチャートである。ステップＳＴ１１において、制御部８は、ユーザがリモコン１１のチャンネル登録ボタン２３を押下することでリモコン受光部１０及びリモコン解析部９を介して伝送されたチャンネル登録コードを受け取る。ここでは、リモコン１１のボタン操作により送出されたリモコンコードは、リモコン受光部１０で受信されリモコン解析部９でリモコンコードのチェックが行われ、テレビジョン受信機自身を制御するためのリモコンコードであれば、制御部８に受光したリモコンコードを伝送する。
【００２５】
ステップＳＴ１２において、制御部８は、図６に示す不揮発性メモリ５の各特定記録領域に格納されている放送事業者名とロゴを読み出して、グラフィック描画部６に対して表示部７にチャンネル登録画面を表示させる。ここでは、制御部８は、チャンネル登録画面に、読み出した放送事業者名とロゴを縦軸にし、各特定記録領域の名称（ページ１、ページ２、・・・）を横軸にして２次元マトリックス状に表示するように、また、放送事業者が登録されている２次元マトリックス状のマトリクス枠にチェックマークを表示するように、さらに、各特定記録領域に登録されている放送事業者の数を各特定記録領域の名称の上に表示するようにグラフィック描画部６に指示する。
【００２６】
図８はお好みチャンネルを登録する際の２次元マトリックス状のチャンネル登録画面の例を示す図である。図において、縦軸は各チャンネル（放送事業者）とそのロゴ、横軸は図６に示す特定記録領域の名称が表示され、各マトリクス枠のチェックマークはその放送事業者がその特定記録領域に登録されていることを示している。この例では、放送事業者Ａはページ１とページ２に登録されており、放送事業者Ｂはページ１とページ２とページ３に登録されており、放送事業者Ｄ，Ｆはどのページにも登録されていない状態を示している。また、各特定記録領域に記録されている放送事業者名の数を各特定記録領域の名称の上に表示している。この各ページの表示の上に表示されている数により、ユーザは、そのページにさらにどれくらい放送事業者を登録できるかを確認することができる。
【００２７】
ここでは、リモコン１１のチャンネル登録ボタン２３を押下することにより、図８に示すチャンネル登録画面を表示しているが、グラフィック描画部６で作成され表示部７で表示されるチャンネル登録ボタンを押下することにより、チャンネル登録画面を表示しても良い。
【００２８】
チャンネル／番組に関するデータはテレビ視聴中は常時受信することができ、新しく放送局を開局した新放送事業者が存在すると、その新放送事業者の情報がネットワーク情報テーブル及びサービス記述テーブルに追加される。番組情報解析部４は、受信しているチャンネル／番組に関するデータと不揮発性メモリ５の全情報記録領域に格納されているチャンネルに係る情報とを常時比較し、ネットワーク情報テーブル及びサービス記述テーブルの内容が更新されたことを検出すると、不揮発性メモリ５の全情報記録領域に更新されたチャンネルに係る情報を記録する。このことによって、新放送事業者が放送局を開局した場合であっても、チャンネル登録画面にその放送事業者名が自動的に追加される。
【００２９】
図９は新放送事業者が追加された場合のチャンネル登録画面の例を示す図である。ここでは、放送事業者Ｉが追加されており、マトリクス枠の色を変更して他の放送事業者と区別して表示することにより、追加されたことをユーザに認識させる。
【００３０】
図８又は図９に示すチャンネル登録画面においては、初期状態で、例えば、放送事業者Ａのページ１のマトリクス枠にフォーカシングされているものとする。
ここでは、ページ１にお好みチャンネルを登録するものとして説明する。図７のステップＳＴ１３において、制御部８はユーザがリモコン１１の決定ボタン２６を押下することでリモコン解析部９から決定コードが伝送されたかをチェックし、伝送された場合にはステップＳＴ１６に移行し、伝送されない場合にはステップＳＴ１４に移行する。
【００３１】
ステップＳＴ１４において、制御部８はユーザがリモコン１１の矢印ボタン２５を押下することでリモコン解析部９から矢印コードが伝送されたかをチェックし、伝送された場合にはステップＳＴ１５に移行し、伝送されない場合にはステップＳＴ１３に戻る。ステップＳＴ１５において、制御部８はグラフィック描画部６に矢印ボタン２５が押された方向のマトリクス枠にフォーカシングを移動させるよう指示し、グラフィック描画部６は指定されたマトリクス枠にフォーカシングを移動させて、選択したチャンネル（放送事業者）をユーザに認識させる。
ステップＳＴ１３に戻り、制御部８はユーザがリモコン１１の決定ボタン２６を押下することでリモコン解析部９から決定コードが伝送されたことを確認すると、ステップＳＴ１６に移行する。
【００３２】
ステップＳＴ１６において、制御部８は不揮発性メモリ５に格納されている、決定ボタン２６が押下された該当ページの特定記録領域の内容を確認する。ステップＳＴ１７において、制御部８はそのページに選択された放送事業者の情報が存在しているかを確認し、情報が存在していない場合には、お好みチャンネルの登録処理としてステップＳＴ１８に移行し、情報が存在している場合には、お好みチャンネルの取り消し処理としてステップＳＴ２０に移行する。
【００３３】
ステップＳＴ１８において、制御部８は、不揮発性メモリ５の該当のページ（ページ１）の特定記録領域に、不揮発性メモリ５の全情報記録領域に格納されている選択された放送事業者のチャンネルに係る情報の中から、選局情報、放送事業者名、サービスｉｄをコピーする。ステップＳＴ１９において、制御部８は、グラフィック描画部６に、チャンネル登録画面の選択された放送事業者のマトリクス枠にチェックマークを表示するよう指示を行い、グラフィック描画部６は図８に示すようにチェックマークの表示を行う。
【００３４】
ステップＳＴ２０において、制御部８は、不揮発性メモリ５の該当のページから選択された放送事業者の情報を削除する。ステップＳＴ２１において、制御部８はグラフィック描画部６に、選択された放送事業者のマトリクス枠に表示されているチェックマークを消去するよう指示を行い、グラフィック描画部６はチェックマークを消去する。
【００３５】
図１０はお好みチャンネル（放送事業者）の選局処理の流れを示すフローチャートである。ステップＳＴ３１において、制御部８は、ユーザがリモコン１１のチャンネル呼出ボタン２４を押下することでリモコン受光部１０及びリモコン解析部９を介して伝送されたチャンネル呼出コードを受け取る。
【００３６】
ステップＳＴ３２において、制御部８は、図６に示す不揮発性メモリ５のページ１の特定記録領域に格納されている放送事業者名とロゴを読み出して、グラフィック描画部６に対してチャンネル（放送事業者）選局画面として表示部７に表示させる。
【００３７】
図１１はお好みチャンネルを選局する際のチャンネル選局画面の例を示す図である。図１１ではページ１に格納されているチャンネル（放送事業者）を表示しているが、上記ステップＳＴ３１でユーザによるリモコン１１のチャンネル呼出ボタン２４の押下回数により表示するページが決定される。図１１に示すチャンネル選局画面においては、初期状態で、例えば、放送事業者Ａにフォーカシングされているものとする。
【００３８】
ここでは、リモコン１１のチャンネル呼出ボタン２４の押下回数により表示するページを決定しているが、グラフィック描画部６で作成され表示部７で表示されるチャンネル呼出ボタンの操作回数や、リモコン１１のテンキー２２により表示するページを決定しても良い。
【００３９】
ステップＳＴ３３において、制御部８はユーザがリモコン１１の決定ボタン２６を押下することでリモコン解析部９から決定コードが伝送されたかをチェックし、伝送された場合にはステップＳＴ３６に移行し、伝送されない場合にはステップＳＴ３４に移行する。
【００４０】
ステップＳＴ３４において、制御部８はユーザがリモコン１１の矢印ボタン２５を押下することでリモコン解析部９から矢印コードが伝送されたかをチェックし、伝送された場合にはステップＳＴ３５に移行し、伝送されない場合にはステップＳＴ３３に戻る。ステップＳＴ３５において、制御部８はグラフィック描画部６に矢印ボタン２５が押された方向のチャンネル（放送事業者）にフォーカシングを移動させるよう指示し、グラフィック描画部６は選択されたチャンネル（放送事業者）にフォーカシングを移動させユーザに認識させる。ステップＳＴ３３に戻り、制御部８はユーザがリモコン１１の決定ボタン２６を押下することでリモコン解析部９から決定コードが伝送されたことを確認すると、ステップＳＴ３６に移行する。
【００４１】
ステップＳＴ３６において、制御部８は不揮発性メモリ５の選択されたチャンネル（放送事業者）の選局情報を読み出す。ステップＳＴ３７において、制御部８は読み出した選局情報に含まれる周波数情報をチューナ１に設定し、チューナ１は選局を行い所望の放送の受信が開始される。ステップＳＴ３８において、制御部８はグラフィック描画部６に対して表示部７に表示されているチャンネル選択画面を消去させる。表示部７ではチューナ１により選局された映像が表示される。
【００４２】
以上のように、この実施の形態１によれば、全てのチャンネルを視聴することなく、開局している放送事業者を自動的に登録し、その放送事業者を表示したチャンネル登録画面を使用してお好みチャンネルを登録することにより、チャンネル登録の際の時間と手間を省くことができるという効果が得られる。
【００４３】
また、この実施の形態１によれば、不揮発性メモリ５に複数の特定記録領域をを独立して備えることにより、ジャンル別、ネットワーク別等、グループ化して複数の登録基準でお好みチャンネルの登録が行え、ユーザの利便性を向上させることができるという効果が得られる。
【００４４】
さらに、この実施の形態１によれば、お好みチャンネルを選局する際に、チャンネル選局画面を特定記録領域のページ単位に表示させることにより、ユーザが希望する選局対象のチャンネルを予め絞って表示させることができ、チャンネル選局時のユーザの利便性を向上させることができるという効果が得られる。
【００４５】
実施の形態２．
この発明の実施の形態２によるテレビジョン受信機の構成を示すブロック図は実施の形態１の図１と同じである。この実施の形態２はリモコン１１のチャンネルアップボタン２８ａとチャンネルダウンボタン２８ｂによりお好みのチャンネルを選局するものである。
【００４６】
図１２は不揮発性メモリ５の記録領域に格納された情報を示す図である。ここでは、実施の形態１の図６に示す特定記録領域の最終ページを、チャンネルアップ又はチャンネルダウン用のアップダウン特定記録領域として割り当てて、該当の選局情報、放送事業者名、サービスｉｄを格納している。
【００４７】
次に動作について説明する。
図１３はお好みチャンネル（放送事業者）の登録処理及び既に登録されているお好みチャンネルの取り消し処理の流れを示すフローチャートである。ステップＳＴ４１の処理は実施の形態１の図７のステップＳＴ１１の処理と同様である。
【００４８】
ステップＳＴ４２において、制御部８は、図１２に示す不揮発性メモリ５の特定記録領域に格納されている放送事業者名とロゴを読み出して、グラフィック描画部６に対して表示部７にチャンネル登録画面を表示する。ここでは、制御部８は、チャンネル登録画面に、読み出した放送事業者名とロゴを縦軸にし、各特定記録領域の名称（アップダウン、ページ１、ページ２・・・）を横軸にして２次元マトリクス状に表示するように、また、放送事業者が登録されている２次元マトリクス状のマトリクス枠にチェックマークを表示するように、さらに、各特定記録領域に登録されている放送事業者名の数を各特定記録領域の名称の上に表示するようにグラフィック描画部６に指示する。
【００４９】
図１４はお好みチャンネルを登録する際の２次元マトリックス状のチャンネル登録画面の例を示す図である。図において、縦軸は各チャンネル（放送事業者）とそのロゴ、横軸は図１２に示す特定記録領域の名称（アップダウン、ページ１、ページ２・・・）が表示され、各マトリクス枠のチェックマークはその放送事業者がその特定記録領域に登録されていることを示している。また、各特定記録領域に登録されている放送事業者名の数を各特定記録領域の名称の上に表示している。
【００５０】
図１４に示すチャンネル登録画面においては、初期状態で、例えば、放送事業者Ａのアップダウンのマトリクス枠にフォーカシングされているものとする。ここでは、アップダウンにお好みのチャンネルを登録するものとして説明する。図１３のステップＳＴ４３，ＳＴ４４，ＳＴ４５の処理は、実施の形態１の図７のステップＳＴ１３，ＳＴ１４，ＳＴ１５の処理と同様である。
【００５１】
ステップＳＴ４５からステップＳＴ４３に戻り、制御部８はユーザがリモコン１１の決定ボタン２６を押下することでリモコン解析部９から決定コードが伝送されたことを確認すると、ステップＳＴ４６に移行する。
【００５２】
ステップＳＴ４６において、制御部８は不揮発性メモリ５に格納されているアップダウン特定記録領域の内容を確認する。ステップＳＴ４７において、制御部８はアップダウン特定記録領域に選択された放送事業者の情報が存在しているかを確認し、情報が存在していない場合には、お好みチャンネルの登録処理としてステップＳＴ４８に移行し、情報が存在している場合には、お好みチャンネルの取り消し処理としてステップＳＴ５０に移行する。
【００５３】
ステップＳＴ４８において、制御部８は、不揮発性メモリ５のアップダウン特定記録領域に、不揮発性メモリ５の全情報記録領域に格納されている選択された放送事業者のチャンネルに係る情報の中から、選局情報、放送事業者、サービスｉｄをコピーする。ステップＳＴ４９において、制御部８は、グラフィック描画部６に、チャンネル登録画面の選択された放送事業者のマトリクス枠にチェックマークを表示するよう指示を行い、グラフィック描画部６は図１４に示すようにチェックマークの表示を行う。
【００５４】
ステップＳＴ５０において、制御部８は、不揮発性メモリ５のアップダウン特定記録領域から選択された放送事業者の情報を削除する。ステップＳＴ５１において、制御部８は、グラフィック描画部６に、選択された放送事業者のマトリクス枠に表示されているチェックマークを消去するよう指示を行い、グラフィック描画部６はチェックマークを消去する。
【００５５】
図１５はお好みチャンネル（放送事業者）の選局処理の流れを示すフローチャートである。ステップＳＴ６１において、制御部８は、ユーザがリモコン１１のチャンネルアップボタン２８ａ又はチャンネルダウンボタン２８ｂを押下することでリモコン受光部１０及びリモコン解析部９を介して伝送されたチャンネルアップコード又はチャンネルダウンコードを受け取る。
【００５６】
ステップＳＴ６２において、制御部８は受け取ったコードがチャンネルアップコードであるかを確認し、チャンネルアップコードを受け取った場合にはステップＳＴ６３に移行し、チャンネルダウンコードを受け取った場合にはステップＳＴ６４に移行する。
【００５７】
ステップＳＴ６３において、制御部８は図１２に示す不揮発性メモリ５のアップダウン特定記録領域に格納されている、サービスｉｄが次に大きいチャンネル（放送事業者）の選局情報を読み出す。一方、ステップＳＴ６４において、制御部８は図１２に示す不揮発性メモリ５のアップダウン特定記録領域に格納されている、サービスｉｄが次に小さいチャンネル（放送事業者）の選局情報を読み出す。
【００５８】
ステップＳＴ６５において、制御部８は読み出した選局情報に含まれる周波数情報をチューナ１に設定し、チューナ１は選局を行い所望の放送の受信が開始される。表示部７ではチューナ１により選局された映像が表示される。
【００５９】
以上のように、この実施の形態２によれば、実施の形態１と同様の効果が得られると共に、チャンネル選択といった同様の目的のために具備されるチャンネルアップボタンとチャンネルダウンボタン操作による選局機構について、実施の形態１と同じお好みチャンネルの登録画面を共有することにより、相互関係を分かりやすく提示しユーザの使い勝手を向上させることができるという効果が得られる。
【００６０】
実施の形態３．
この発明の実施の形態２によるテレビジョン受信機の構成を示すブロック図は実施の形態１の図１と同じである。実施の形態１の不揮発性メモリ５の各特定記録領域には、放送事業者、選局情報、サービスｉｄが格納され、テレビ、ラジオ、データ等のサービスタイプは格納されていないが、この実施の形態３では、不揮発性メモリ５の各特定記録領域には、放送事業者、選局情報、サービスｉｄの他にサービスタイプも追加されており、同じサービスタイプの放送事業者、選局情報、サービスｉｄが連続するように格納されている。
【００６１】
図１６はお好みチャンネルの登録画面の一例を示す図である。実施の形態１の図８に示すお好みチャンネルの登録画面に対して、制御部８はグラフィック描画部６に縦軸に同じサービスタイプをまとめて表示するよう指示を行う。その他の処理は実施の形態１と同様である。
【００６２】
以上のように、この実施の形態３によれば、実施の形態１と同様の効果が得られると共に、お好みチャンネルの登録画面に同じサービスタイプをまとめて表示することにより、サービスタイプによるグループ分けをすることができ、ユーザの利便性をさらに高めることができるという効果が得られる。
【００６３】
実施の形態４．
この発明の実施の形態４によるテレビジョン受信機の構成を示すブロック図は実施の形態１の図１と同じである。
図１７はお好みチャンネルの登録画面の一例を示す図である。実施の形態１の図８に示すお好みチャンネルの登録画面に対して、特定記録領域の名称であるページ１、ページ２、ページ３をユーザが任意に変更できるようにしたチャンネル登録画面である。
【００６４】
特定記録領域の名称を変更する方法としては、リモコン１１にひらがな入力と仮名漢字変換の機能を持たせても良いし、グラフィック描画部６により表示された画面により、ひらがな入力と仮名漢字変換を行うようにしても良く、制御部８がグラフィック描画部６に対して入力された特定記録領域の名称をチャンネル登録画面に表示させる。
【００６５】
以上のように、この実施の形態４によれば、実施の形態１と同様の効果が得られると共に、チャンネル登録画面において特定記録領域の内容をビジュアル化することにより、お好みチャンネル登録のグループ分けがより明確になり、ユーザの利便性をさらに高めることができるという効果が得られる。
【００６６】
実施の形態５．
この発明の実施の形態５によるテレビジョン受信機の構成を示すブロック図は実施の形態１の図１と同じである。
図１８はお好みチャンネルの登録画面の一例を示す図である。実施の形態１の図８に示すお好みチャンネルの登録画面に対して、特定記録領域の数を３つから６つに増やしたチャンネル登録画面である。
【００６７】
不揮発性メモリ５の特定記録領域を予め十分確保しておき、ユーザがマトリクス枠の数を追加できるようにし、追加したマトリクス枠と不揮発性メモリ５の特定記録領域の未使用分を対応付けることでグループ数を拡張することができ、例えば、家族一人ずつにお好みチャンネルを登録する、あるいはお好みチャンルを登録する分野を細分化する等のグループ分けが可能となる。
【００６８】
以上のように、この実施の形態５によれば、実施の形態１と同様の効果が得られると共に、不揮発性メモリ５の特定記録領域を予め十分確保しておきくことにより、ユーザ毎にグループ数を拡張でき、ユーザの利便性をさらに高めることができるという効果が得られる。
【００６９】
実施の形態６．
図１９はこの発明の実施の形態６によるテレビジョン受信機の構成を示すブロック図であり、実施の形態１の図１に操作ボタン１２を追加したものである。実施の形態１では、リモコン１１によりテレビジョン受信機を操作しているが、この実施の形態６では、テレビジョン受信機に備えられた操作ボタン１２により、テレビジョン受信機を操作することもできる。
【００７０】
以上のように、この実施の形態７によれば、実施の形態１と同様の効果が得られる。
【００７１】
【発明の効果】
以上のように、この発明によれば、受信したチャンネル／番組に関するデータを解析し放送事業者や選局情報やチャンネルｉｄ等のチャンネルに係る情報を抽出する番組情報解析部と、抽出された全てのチャンネルに係る情報を格納する全情報記録領域と複数の特定記録領域を保有するメモリと、チャンネル登録の指示に基づきメモリの全情報記録領域に格納されている放送事業者と複数の特定記録領域の名称をチャンネル登録画面として表示させると共に、チャンネル登録画面により各特定記録領域の名称毎に指定された放送事業者のチャンネルに係る情報を、メモリの全情報記録領域から読み出して各特定記録領域にコピーする制御部とを備えたことにより、全てのチャンネルを視聴することなく、チャンネル登録の際の時間と手間を省くことができると共に、ジャンル別、ネットワーク別等、グループ化して複数の登録基準でお好みチャンネルの登録が行え、ユーザの利便性を向上させることができるという効果がある。
【図面の簡単な説明】
【図１】この発明の実施の形態１によるテレビジョン受信機の構成を示すブロック図である。
【図２】この発明の実施の形態１におけるリモコンの例を示す図である。
【図３】この発明の実施の形態１によるテレビジョン受信機で受信する信号の多重方法の例を示す図である。
【図４】この発明の実施の形態１によるテレビジョン受信機で受信する番組情報のネットワーク情報テーブルの例を示す図である。
【図５】この発明の実施の形態１によるテレビジョン受信機で受信する番組情報のサービス記述テーブルの例を示す図である。
【図６】この発明の実施の形態１によるテレビジョン受信機の不揮発性メモリの記録領域に格納された情報を示す図である。
【図７】この発明の実施の形態１によるテレビジョン受信機におけるお好みチャンネルの登録処理及びお好みチャンネルの取り消し処理の流れを示すフローチャートである。
【図８】この発明の実施の形態１によるテレビジョン受信機におけるチャンネル登録画面の例を示す図である。
【図９】この発明の実施の形態１によるテレビジョン受信機における新放送事業者が追加された場合のチャンネル登録画面の例を示す図である。
【図１０】この発明の実施の形態１によるテレビジョン受信機におけるお好みチャンネルの選局処理の流れを示すフローチャートである。
【図１１】この発明の実施の形態１によるテレビジョン受信機におけるチャンネル選局画面の例を示す図である。
【図１２】この発明の実施の形態２によるテレビジョン受信機の不揮発性メモリの記録領域に格納された情報を示す図である。
【図１３】この発明の実施の形態２によるテレビジョン受信機におけるお好みチャンネルの登録処理及びお好みチャンネルの取り消し処理の流れを示すフローチャートである。
【図１４】この発明の実施の形態２によるテレビジョン受信機におけるチャンネル登録画面の例を示す図である。
【図１５】この発明の実施の形態２によるテレビジョン受信機におけるお好みチャンネルの選局処理の流れを示すフローチャートである。
【図１６】この発明の実施の形態３によるテレビジョン受信機におけるチャンネル登録画面の例を示す図である。
【図１７】この発明の実施の形態４によるテレビジョン受信機におけるチャンネル登録画面の例を示す図である。
【図１８】この発明の実施の形態５によるテレビジョン受信機におけるチャンネル登録画面の例を示す図である。
【図１９】この発明の実施の形態６によるテレビジョン受信機の構成を示すブロック図である。
【符号の説明】
１  チューナ、２  分離部、３  復号部、４  番組情報解析部、５  不揮発性メモリ、６  グラフィック描画部、７  表示部、８  制御部、９  リモコン解析部、１０  リモコン受光部、１１  リモコン、１２  操作ボタン、２１  電源ボタン、２２  テンキー、２３  チャンネル登録ボタン、２４  チャンネル呼出ボタン、２５  矢印ボタン、２６  決定ボタン、２７ａ  音量アップボタン、２７ｂ  音量ダウンボタン、２８ａ  チャンネルアップボタン、２８ｂ  チャンネルダウンボタン。
【図１】
2004228990.tif 000003
【図２】
2004228990.tif 000004
【図３】
2004228990.tif 000005
【図４】
2004228990.tif 000006
【図５】
2004228990.tif 000007
【図６】
2004228990.tif 000008
【図７】
2004228990.tif 000009
【図８】
2004228990.tif 000010
【図９】
2004228990.tif 000011
【図１０】
2004228990.tif 000012
【図１１】
2004228990.tif 000013
【図１２】
2004228990.tif 000014
【図１３】
2004228990.tif 000015
【図１４】
2004228990.tif 000016
【図１５】
2004228990.tif 000017
【図１６】
2004228990.tif 000018
【図１７】
2004228990.tif 000019
【図１８】
2004228990.tif 000020
【図１９】
2004228990.tif 000021